(57)【要約】【課題】原料ガスが不純物として少なくとも可燃成分を含む際に、コストが削減された精製ガスの製造装置および精製ガスの製造方法を提供すること。【解決手段】原料ガス中の少なくとも可燃成分を酸素存在下で触媒反応に供するための触媒塔と、触媒塔を経た原料ガス中の少なくとも水分および酸素を除去し、精製ガスを得るための精製塔を備え、精製塔は第１領域および第２領域を含み、第１領域は原料ガス中の少なくとも水分を吸着除去する領域であり、第２領域は第１領域を経た原料ガス中の少なくとも酸素を除去し、精製ガスを得る領域である精製ガスの製造装置ならびに、精製ガスの製造方法が提供される。【選択図】図１
2019172532.tif 000002
【特許請求の範囲】
【請求項１】
原料ガス中の少なくとも可燃成分を酸素存在下で触媒反応に供するための触媒塔と、
前記触媒塔を経た前記原料ガス中の少なくとも水分および酸素を除去し、精製ガスを得るための精製塔を備え、
前記精製塔は、第１領域および第２領域を含み、
前記第１領域は、前記原料ガス中の少なくとも水分を吸着除去するための領域であり、
前記第２領域は、前記第１領域を経た前記原料ガス中の少なくとも酸素を除去し、精製ガスを得るための領域である、
精製ガスの製造装置。
【請求項２】
前記第１領域は、前記原料ガス中の二酸化炭素を更に吸着除去するための領域である、請求項１に記載の製造装置。
【請求項３】
前記触媒塔は、６０℃以上３５０℃以下の温度で触媒反応を行うための触媒塔である、請求項１または請求項２に記載の製造装置。
【請求項４】
前記触媒塔は、パラジウム系触媒を含む、請求項１〜請求項３のいずれか１項に記載の製造装置。
【請求項５】
酸素供給源と、
前記酸素供給源と前記触媒塔の入口とを接続するための接続路であって、前記酸素供給源から前記触媒塔の入口へ酸素ガスを導入するための第１接続路と、を更に備える、
請求項１〜請求項４のいずれか１項に記載の製造装置。
【請求項６】
前記第１領域は、ゼオライト、活性アルミナ、およびシリカゲルからなる群より選択されるいずれかを含み、
前記第２領域は、ゲッター剤を含む、
請求項１〜請求項５のいずれか１項に記載の製造装置。
【請求項７】
前記ゲッター剤は、銅を含む、請求項６に記載の製造装置。
【請求項８】
前記原料ガスは、少なくとも窒素または希ガスのいずれかを含む、請求項１〜請求項７のいずれか１項に記載の製造装置。
【請求項９】
前記可燃成分は、少なくとも水素または炭化水素のいずれかを含む、請求項１〜請求項８のいずれか１項に記載の製造装置。
【請求項１０】
反応器と、
前記反応器と前記触媒塔とを接続するための接続路であって、前記反応器から前記触媒塔へ前記原料ガスを導入するための第２接続路と、
前記反応器と前記精製塔とを接続するための接続路であって、前記精製塔から導出される前記精製ガスを前記反応器へ戻すための第３接続路と、を更に備える、
請求項１〜請求項９のいずれか１項に記載の製造装置。
【請求項１１】
原料ガスを、触媒塔に導入すること、
前記触媒塔内で、前記原料ガス中の少なくとも可燃成分を酸素存在下で触媒反応に供すること、
前記触媒塔を経た前記原料ガスを、第１領域および第２領域を含む精製塔に導入すること、
前記第１領域において、前記原料ガス中の少なくとも水分を吸着除去すること、
前記第２領域において、前記第１領域にて水分が吸着除去された前記原料ガス中の少なくとも酸素を除去すること、
前記第２領域にて酸素が除去された前記原料ガスを、精製ガスとして導出すること、を含む、
精製ガスの製造方法。
【請求項１２】
前記第１領域において、前記原料ガス中の二酸化炭素を吸着除去することを含む、請求項１１に記載の製造方法。
【請求項１３】
前記触媒反応は、６０℃以上３５０℃以下の温度で行われる、請求項１１または請求項１２に記載の製造方法。
【請求項１４】
前記触媒塔は、パラジウム系触媒を含む、請求項１１〜請求項１３のいずれか１項に記載の製造方法。
【請求項１５】
酸素供給源から前記触媒塔の入口へと酸素ガスを導入することを更に含む、
請求項１１〜請求項１４のいずれか１項に記載の製造方法。
【請求項１６】
前記第１領域は、ゼオライト、活性アルミナ、およびシリカゲルからなる群より選択されるいずれかを含み、
前記第２領域は、ゲッター剤を含む、
請求項１１〜請求項１５のいずれか１項に記載の製造方法。
【請求項１７】
前記ゲッター剤は、銅を含む、請求項１６に記載の製造方法。
【請求項１８】
前記原料ガスは、少なくとも窒素または希ガスのいずれかを含む、請求項１１〜請求項１７のいずれか１項に記載の製造方法。
【請求項１９】
前記可燃成分は、少なくとも水素または炭化水素のいずれかを含む、請求項１１〜請求項１８のいずれか１項に記載の製造方法。
【請求項２０】
反応器から導出されたガスを、前記原料ガスとして前記触媒塔に導入すること、および、
前記精製塔から導出された前記精製ガスを、前記反応器に導入すること、
を更に含む、請求項１１〜請求項１９のいずれか１項に記載の製造方法。
【発明の詳細な説明】
【技術分野】
【０００１】
本発明は、精製ガスの製造装置および精製ガスの製造方法に関する。
【背景技術】
【０００２】
特公平０３−７６０３（特許文献１）は、希ガス等の不活性ガスに含まれる可燃成分を除去するために、酸素存在下で不活性ガスと金属触媒とを接触させることにより、可燃成分を焼却除去する不純物燃焼方法を開示している。
【０００３】
特開平７−３１８７７号公報（特許文献２）は、不純物として酸素および水分を含む不活性ガスを、ニッケル等を主成分とするゲッター剤と加熱条件下において接触させることにより不活性ガスから酸素を除去し、その後不活性ガスに残存する水分を常温において吸着除去し、精製ガスを製造することを開示している。
【先行技術文献】
【特許文献】
【０００４】
【特許文献１】特公平０３−７６０３号公報
【特許文献２】特開平７−３１８７７号公報
【発明の概要】
【発明が解決しようとする課題】
【０００５】
近年、ＣＡＰＥＸ（ＣＡＰｉｔａｌ  ＥＸｐｅｎｃｅ）やＯＰＥＸ（ＯＰｅｒａｔｉｏｎ  ＥＸｐｅｎｃｅ）が削減された精製ガスの製造装置および精製ガスの製造方法が求められている。ＣＡＰＥＸの削減は、たとえば機器点数の削減であり得る。ＯＰＥＸの削減は、たとえば精製ガス製造装置に使用される消耗品の量（たとえば吸着剤の量）の削減や機器点数の削減に伴うメンテナンス費用の削減であり得る。
【０００６】
原料ガスが不純物として可燃成分を含む場合、たとえば特許文献１と特許文献２に開示される方法を組み合わせることにより、原料ガスから不純物を除去し、精製ガスを製造し得る。具体的には、酸素存在下で可燃成分と金属触媒とを接触させることにより、可燃成分を二酸化炭素と水分に転化させる。その後、原料ガスに残存する酸素を加熱条件下においてゲッター剤により除去し、次いで二酸化炭素および水分を常温において吸着除去することにより、精製ガスを製造し得る。
【０００７】
しかしながら、特許文献１に開示される不純物燃焼方法においては、可燃成分を焼却除去するための酸素が過剰となり得る。係る場合、酸素を除去するためのゲッター剤が過剰に必要となると考えられ、ＣＡＰＥＸが増加すると考えられる。ゲッター剤は定期的に交換されることを要する。過剰な量のゲッター剤を交換する必要があるため、酸素量が適切な場合と比して、ＯＰＥＸも増加するおそれがある。また、特許文献１に開示される不純物燃焼方法においては、可燃成分を焼却除去するための酸素が不足する可能性もある。係る場合、可燃成分が除去しきれないものと考えられる。そのため、精製ガス中の可燃成分を除去する設備を新たに設ける必要があり得る。すなわち、ＣＡＰＥＸおよびＯＰＥＸが増加するおそれがある。
【０００８】
また、特許文献２において開示される精製ガスの製造方法は、原料ガス中の酸素を除去する工程と原料ガスから水分を除去する工程との間に、原料ガスを常温まで冷却する工程が必要となる。すなわち、原料ガス中の酸素を除去するための設備と原料ガス中の水分を除去するための設備との間に、冷却手段を設ける必要がある。また、連続運転のためには、水分を除去するためのゼオライト塔および酸素を除去するためのゲッター塔がそれぞれ２塔、合計４つの塔が必要である。すなわち、機器点数の削減（ＣＡＰＥＸの削減）および機器点数を削減することによるメンテナンス費の削減（ＯＰＥＸの削減）において改善の余地がある。
【０００９】
本発明の目的は、原料ガスが不純物として少なくとも可燃成分を含む際に、コストが削減された精製ガスの製造装置および精製ガスの製造方法を提供することにある。
【課題を解決するための手段】
【００１０】
本発明は、以下に示す精製ガスの製造装置および精製ガスの製造方法を提供する。
【００１１】
［１］  原料ガス中の少なくとも可燃成分を酸素存在下で触媒反応に供するための触媒塔と、前記触媒塔を経た前記原料ガス中の少なくとも水分および酸素を除去し、精製ガスを得るための精製塔を備え、前記精製塔は、第１領域および第２領域を含み、前記第１領域は、前記原料ガス中の少なくとも水分を吸着除去するための領域であり、前記第２領域は、前記第１領域を経た前記原料ガス中の少なくとも酸素を除去し、精製ガスを得るための領域である、精製ガスの製造装置。
【００１２】
［２］  前記第１領域は、前記原料ガス中の二酸化炭素を更に吸着除去するための領域である、［１］に記載の製造装置。
【００１３】
［３］  前記触媒塔は、６０℃以上３５０℃以下の温度で触媒反応を行うための触媒塔である、［１］または［２］に記載の製造装置。
【００１４】
［４］  前記触媒塔は、パラジウム系触媒を含む、［１］〜［３］のいずれかに記載の製造装置。
【００１５】
［５］  酸素供給源と、前記酸素供給源と前記触媒塔の入口とを接続するための接続路であって、前記酸素供給源から前記触媒塔の入口へ酸素ガスを導入するための第１接続路と、を更に備える、［１］〜［４］のいずれかに記載の製造装置。
【００１６】
［６］  前記第１領域は、ゼオライト、活性アルミナ、およびシリカゲルからなる群より選択されるいずれかを含み、前記第２領域は、ゲッター剤を含む、［１］〜［５］のいずれかに記載の製造装置。
【００１７】
［７］  前記ゲッター剤は、銅を含む、［６］に記載の製造装置。
【００１８】
［８］  前記原料ガスは、少なくとも窒素または希ガスのいずれかを含む、［１］〜［７］のいずれかに記載の製造装置。
【００１９】
［９］  前記可燃成分は、少なくとも水素または炭化水素のいずれかを含む、［１］〜［８］のいずれかに記載の製造装置。
【００２０】
［１０］  反応器と、前記反応器と前記触媒塔とを接続するための接続路であって、前記反応器から前記触媒塔へ前記原料ガスを導入するための第２接続路と、前記反応器と前記精製塔とを接続するための接続路であって、前記精製塔から導出される前記精製ガスを前記反応器へ戻すための第３接続路と、を更に備える、［１］〜［９］のいずれかに記載の製造装置。
【００２１】
［１１］  原料ガスを、触媒塔に導入すること、前記触媒塔内で、前記原料ガス中の少なくとも可燃成分を酸素存在下で触媒反応に供すること、前記触媒塔を経た前記原料ガスを、第１領域および第２領域を含む精製塔に導入すること、前記第１領域において、前記原料ガス中の少なくとも水分を吸着除去すること、前記第２領域において、前記第１領域にて水分が吸着除去された前記原料ガス中の少なくとも酸素を除去すること、前記第２領域にて酸素が除去された前記原料ガスを、精製ガスとして導出すること、を含む、精製ガスの製造方法。
【００２２】
［１２］  前記第１領域において、前記原料ガス中の二酸化炭素を吸着除去することを含む、［１１］に記載の製造方法。
【００２３】
［１３］  前記触媒反応は、６０℃以上３５０℃以下の温度で行われる、［１１］または［１２］に記載の製造方法。
【００２４】
［１４］  前記触媒塔は、パラジウム系触媒を含む、［１１］〜［１３］のいずれかに記載の製造方法。
【００２５】
［１５］  酸素供給源から前記触媒塔の入口へと酸素ガスを導入することを更に含む、［１１］〜［１４］のいずれかに記載の製造方法。
【００２６】
［１６］  前記第１領域は、ゼオライト、活性アルミナ、およびシリカゲルからなる群より選択されるいずれかを含み、前記第２領域は、ゲッター剤を含む、［１１］〜［１５］のいずれかに記載の製造方法。
【００２７】
［１７］  前記ゲッター剤は、銅を含む、［１６］に記載の製造方法。
【００２８】
［１８］  前記原料ガスは、少なくとも窒素または希ガスのいずれかを含む、［１１］〜［１７］のいずれかに記載の製造方法。
【００２９】
［１９］  前記可燃成分は、少なくとも水素または炭化水素のいずれかを含む、［１１］〜［１８］のいずれかに記載の製造方法。
【００３０】
［２０］  反応器から導出されたガスを、前記原料ガスとして前記触媒塔に導入すること、および、前記精製塔から導出された前記精製ガスを、前記反応器に導入すること、を更に含む、［１１］〜［１９］のいずれかに記載の製造方法。
【発明の効果】
【００３１】
本発明によれば、原料ガスが不純物として少なくとも可燃成分を含む際に、コストが削減された精製ガスの製造装置および精製ガスの製造方法を提供することができる。
【図面の簡単な説明】
【００３２】
【図１】本発明に係る、精製ガスを製造するための装置構成の一例を示す概略図である。
【発明を実施するための形態】
【００３３】
以下、実施の形態を示しながら、本発明について詳細に説明する。ただし以下の説明は特許請求の範囲を限定するものではない。
【００３４】
＜用語の定義＞
本明細書において、下記の用語の意味は下記の通りである。
（１）「精製ガス」とは、原料ガス中に含まれる不純物の濃度が低減されたガスを示す。
（２）「酸素存在下」とは、原料ガス中に酸素が０ｖｏｌ．ｐｐｍを超えて含まれている状態を示す。
（３）「主成分」とは、原料ガスを構成する成分（ガス）のうち、最も体積含有量が多い成分（ガス）を示す。
（４）「希ガス」とは、通常、ヘリウム（Ｈｅ）、ネオン（Ｎｅ）、アルゴン（Ａｒ）、クリプトン（Ｋｒ）、キセノン（Ｘｅ）、ラドン（Ｒｎ）、およびオガネソン（Ｏｇ）の総称であるが、本明細書においては、Ｈｅ、Ｎｅ、Ａｒ、Ｋｒ、Ｘｅのいずれかを示す。
（５）「炭化水素」とは、ＣｎＨｍ（但し、ｎおよびｍは正の整数である）で表される炭素原子と水素原子とで構成される化合物を示す。
（６）「ゲッター剤」とは、原料ガスから少なくとも酸素を除去する作用をなす物質を示す。
（７）「コストが削減された」とは、少なくともＣＡＰＥＸおよびＯＰＥＸのいずれかが削減される場合を示す。
【００３５】
＜精製ガスの製造装置＞
図１は、本発明に係る精製ガスを製造するための装置構成の一例を示す概略図である。精製ガスの製造装置１００は、原料ガス中の少なくとも可燃成分を酸素存在下で触媒反応に供するための触媒塔５０と、触媒塔５０を経た原料ガス中の少なくとも水分および酸素を除去し、精製ガスを得るための精製塔（第１精製塔１,第２精製塔２）を備える。精製塔（第１精製塔１,第２精製塔２）は、第１領域（１Ａ,２Ａ）および第２領域（１Ｂ,２Ｂ）を含む。第１領域（１Ａ,２Ａ）は、原料ガス中の少なくとも水分を吸着除去するための領域である。第２領域（１Ｂ,２Ｂ）は、第１領域を経た原料ガス中の少なくとも酸素を除去し、精製ガスを得るための領域である。以下、精製ガスの製造装置１００に含まれる各機器について詳細に説明する。
【００３６】
なお、図１においては精製塔が２塔の例が示されているが、精製塔は１塔であってもよいし、３塔以上であってもよい。精製塔を連続運転する観点からは、精製塔は２塔以上であることが望ましい。たとえば図１に示すように製造装置１００が第１精製塔１と第２精製塔２とを含む場合、第１精製塔１を原料ガス中の少なくとも水分および酸素の除去に使用し、第２精製塔２を後述する再生ガスにて再生することができる。第２精製塔２が再生されれば、第２精製塔２を原料ガス中の不純物の除去に使用し、第１精製塔１を後述する再生ガスにて再生することができる。すなわち、精製ガスの製造を連続して行うことができる。以下の説明では、精製塔としては第１精製塔１が説明される。
【００３７】
＜原料ガス＞
原料ガスは、不純物として少なくとも可燃成分を含む。原料ガスは、主成分として、たとえば窒素（Ｎ２）や希ガスを含んでもよい。原料ガスは、上記のガスを両方含んでもよい。原料ガスは、少なくとも窒素または希ガスのいずれかを含んでもよい。
【００３８】
可燃成分は、水素ガスや炭化水素ガスであり得る。炭化水素は、たとえばメタン（ＣＨ４）、エタン（Ｃ２Ｈ６）、エチレン（Ｃ２Ｈ４）、プロパン（Ｃ３Ｈ８）、ブタン（Ｃ４Ｈ１０）、およびアセチレン（Ｃ２Ｈ２）等であり得る。原料ガスは、不純物として上記のガスを複数含んでもよい。原料ガスは、少なくとも水素または炭化水素のいずれかを含んでもよい。
【００３９】
＜触媒塔＞
触媒塔５０は、原料ガス中の少なくとも可燃成分を酸素存在下で触媒反応に供するための塔である。たとえば可燃成分が水素である場合、水素は酸素存在下における触媒反応により酸化されて水へと転化される。たとえば可燃成分が炭化水素である場合、炭化水素は酸素存在下における触媒反応により酸化されて二酸化炭素と水へと転化される。
【００４０】
《触媒反応温度》
触媒塔５０は、６０℃以上３５０℃以下の温度で触媒反応を行うように構成されてもよい。すなわち触媒塔５０は、６０℃以上３５０℃以下の温度で触媒反応を行うための触媒塔であってもよい。触媒塔５０の触媒反応温度を調整するために、触媒塔５０の上流に原料ガスを加熱するための昇温手段４０を配置してもよい。
【００４１】
触媒塔５０において触媒反応が６０℃未満で行われた場合、触媒反応が不十分となる可能性がある。触媒塔５０において触媒反応が３５０℃を超える温度で行われた場合、昇温手段４０の電力消費量（すなわち、ＯＰＥＸ）に改善の余地が生じるおそれがある。
【００４２】
触媒塔５０を経た原料ガスの熱エネルギーを回収するために、触媒塔５０に導入される前の原料ガスと触媒塔５０を経た原料ガスとを間接熱交換させるための原料ガス熱交換器３０を設けてもよい。原料ガス熱交換器３０により、触媒塔５０に導入される前の原料ガスは昇温され得る。原料ガス熱交換器３０により、触媒塔５０を経た原料ガスは降温され得る。
【００４３】
原料ガス熱交換器３０により昇温手段４０に導入される原料ガスの温度が高くなれば、原料ガス熱交換器３０を経た原料ガスをたとえば６０℃以上３５０℃以下の反応温度まで昇温するための昇温手段４０（たとえば、ヒータ）が要する電力を削減することができる。すなわち、ＯＰＥＸの削減が期待される。
【００４４】
原料ガス熱交換器３０により触媒塔５０を経た原料ガスの温度が低くなれば、原料ガス中の水分の分圧が下がると考えられる。そのため、後述する精製塔に含まれる第１領域１Ａの容量の削減や第１領域１Ａに含まれる充填物の量を減少させることが可能となる。すなわち、ＯＰＥＸおよびＣＡＰＥＸの削減が期待される。
【００４５】
原料ガス熱交換器３０を設けずに、触媒塔５０を経た原料ガスを冷却する冷却手段（図示せず）を設けてもよい。原料ガス熱交換器３０を設置することと比して昇温手段４０が要する電力は大きくなると考えられるが、原料ガス熱交換器３０を設置することと比してＣＡＰＥＸの削減が期待される。
【００４６】
原料ガス熱交換器３０を設けずに、触媒塔５０を経た原料ガスを冷却しなくてもよい。係る場合、触媒塔５０を経た原料ガスが冷却される場合と比して後述する精製塔の容量が大きくなると考えられる。
【００４７】
《触媒》
触媒塔５０に含まれる触媒は特に制限されるべきではない。原料ガス中の少なくとも可燃成分を酸素存在下で触媒反応に供し得る物質は、触媒として用い得る。触媒塔５０に含まれる触媒は、たとえばパラジウム系触媒や白金系触媒であってもよい。すなわち、触媒塔５０は、パラジウム系触媒や白金系触媒を含んでもよい。
【００４８】
《第１接続路》
触媒塔５０の触媒反応において可燃成分をより効率的に触媒反応に供するためには、触媒反応に必要な化学当量の１．１倍以上１．５倍以下の酸素が原料ガスに含まれていることが望ましい。原料ガスが触媒反応に必要な化学当量の１．１倍未満の酸素を含む場合、触媒反応が十分進行せず、可燃成分が残存する可能性がある。そのため、精製ガス中の可燃成分を除去する設備を新たに設ける必要があり得る（すなわち、ＣＡＰＥＸおよびＯＰＥＸが増加し得る）。原料ガスが触媒反応に必要な化学当量の１．５倍を超える酸素を含む場合、酸素の量が過剰であり、後述する第２領域１Ｂにおいて酸素が除去しきれないおそれがある。そのため、第２領域１Ｂの容量を増加させる必要が生じるおそれがある（すなわち、ＣＡＰＥＸおよびＯＰＥＸが増加し得る）。
【００４９】
精製ガスの製造装置１００は、酸素供給源（図示せず）と、酸素供給源と触媒塔５０の入口とを接続するための接続路であって、酸素供給源から触媒塔５０の入口へ酸素ガスを導入するための第１接続路Ｌ１を更に備えることが望ましい。第１接続路Ｌ１を介して酸素が供給されることにより、触媒塔５０に導入される原料ガスが、触媒反応に必要な化学当量の１．１倍以上１．５倍以下の酸素を含有し得る。なお、原料ガスに予め十分な酸素が含まれている場合には、バルブＶ１０１を閉とし、酸素の供給を断てばよい。
【００５０】
＜精製塔＞
第１精製塔１は、第１領域１Ａおよび第２領域１Ｂを含む。原料ガス中の少なくとも水分は、第１領域１Ａにおいて吸着除去される。第２領域１Ｂにおいて、第１領域１Ａを経た原料ガス中の少なくとも酸素が除去される。
【００５１】
《第１領域》
第１領域１Ａは、原料ガス中の少なくとも水分を吸着するための領域である。原料ガスが炭化水素を含む場合、触媒塔５０における触媒反応により水分に加えて二酸化炭素が不純物として原料ガスに含まれ得る。そのため、第１領域１Ａは、原料ガス中の二酸化炭素を更に吸着除去するための領域であることが望ましい。
【００５２】
第１領域１Ａは、充填物としてゼオライト、活性アルミナ、およびシリカゲルからなる群より選択されるいずれかを含んでもよい。第１領域１Ａが充填物としてゼオライト、活性アルミナ、およびシリカゲルからなる群より選択されるいずれかを含むことにより、原料ガス中の少なくとも水分がより吸着されるものと考えられる。また、ゼオライト、活性アルミナ、およびシリカゲルは水分に加えて、二酸化炭素も吸着すると考えられる。これにより、原料ガス中の水分および二酸化炭素量が低減されると考えられる。
【００５３】
《第２領域》
第２領域１Ｂは、第１領域１Ａを経た原料ガス中の少なくとも酸素を除去し、精製ガスを得るための領域である。第２領域１Ｂは、充填剤としてゲッター剤を含むことが望ましい。第２領域１Ｂが充填剤としてゲッター剤を含むことにより、第１領域１Ａを経た原料ガス中の酸素がより除去されるものと考えられる。すなわち、第１領域は、ゼオライト、活性アルミナ、およびシリカゲルからなる群より選択されるいずれかを含み、第２領域１Ｂは、ゲッター剤を含んでもよい。
【００５４】
ゲッター剤は特に制限されるべきではない。原料ガスから少なくとも酸素を除去する作用を有し得る物質は、ゲッター剤として用い得る。ゲッター剤は、シリカ、アルミナ、ゼオライト、活性炭等の担体に銅等の金属が担持されたものであり得る。すなわち、ゲッター剤は銅を含んでもよい。銅は安価で入手しやすいため、精製ガスの製造装置１００のランニングコスト（すなわち、ＯＰＥＸ）が低減され得ると期待される。ゲッター剤が銅を含む場合、下記式（１）の反応により酸素が除去されると考えられる。
【００５５】
［式１］
２Ｃｕ＋Ｏ２  →  ２ＣｕＯ  ・・・（１）
【００５６】
ゲッター剤が銅を含む場合、たとえば１５０℃程度の加熱条件下で水素とゲッター剤とを反応させることにより、下記式（２）の反応により銅が還元される。すなわち、ゲッター剤を再生することができる。再生されたゲッター剤は、再度原料ガスから少なくとも酸素を除去するために用い得る。
【００５７】
［式２］
ＣｕＯ＋Ｈ２  →  Ｃｕ＋Ｈ２Ｏ  ・・・（２）
【００５８】
《その他の構成１》
原料ガスは、反応器（図示せず）より導入されるガスであってもよい。また、精製ガスは、反応器（図示せず）に導出されるガスであってもよい。すなわち本発明に係る精製ガスの製造装置１００は、反応器と触媒塔５０とを接続するための接続路であって、反応器から触媒塔５０へ原料ガスを導入するための第２接続路（図示せず）を有してもよい。また、反応器（図示せず）と精製塔（第１精製塔１,第２精製塔２）とを接続するための接続路であって、精製塔（第１精製塔１,第２精製塔２）から導出される精製ガスを反応器（図示せず）へ戻すための第３接続路（図示せず）を更に有してもよい。
【００５９】
《その他の構成２》
本発明に係る精製ガスの製造装置１００は、第１領域１Ａおよび第２領域１Ｂを再生するための再生ガス供給路Ｌ２を含むことが望ましい。再生ガスは、加熱された窒素、および水素を含むことが望ましい。加熱された窒素により、第１領域１Ａが再生され得る。水素により、第２領域１Ｂが再生され得る。精製ガスの製造装置１００は、窒素を加熱するためのヒータ６０を備えることが望ましい。
【００６０】
＜精製ガスの製造方法＞
本発明に係る精製ガスの製造方法は、原料ガスを触媒塔に導入すること（原料ガス導入工程１）を含む。触媒塔内で、原料ガス中の少なくとも可燃成分が酸素存在下で触媒反応に供される（触媒反応工程）。触媒塔を経た原料ガスは、第１領域および第２領域を含む精製塔に導入される（原料ガス導入工程２）。第１領域において、原料ガス中の少なくとも水分が吸着除去される（水分吸着除去工程）。第２領域において、第１領域にて水分が吸着除去された原料ガス中の少なくとも酸素が除去される（酸素除去工程）。第２領域にて酸素が除去された原料ガスは、精製ガスとして導出される（精製ガス導出工程）。以下、図１を参照して、第１精製塔１が使用されていると仮定し、精製ガスの製造方法の各工程について詳細に説明する。
【００６１】
《原料ガス導入工程１》
本工程は、原料ガスを触媒塔５０に導入するに導入する工程である。原料ガスは、少なくとも可燃成分を含む限り、特に限定されない。原料ガスは、主成分として、たとえば窒素および希ガス等を含んでもよい。すなわち原料ガスは、少なくとも窒素または希ガスのいずれかを含んでもよい。可燃成分は、水素や炭化水素を含んでもよい。すなわち可燃成分は、少なくとも水素または炭化水素のいずれかを含んでもよい。
【００６２】
原料ガスは、反応器（図示せず）から導出されるガスであってもよい。原料ガスは、熱交換器３０により昇温されてもよいし、昇温されなくてもよい。原料ガスは、昇圧機（図示せず）により所定の圧力まで昇圧されてから触媒塔５０に導入されてもよい。原料ガスは、減圧弁（図示せず）により所定の圧力まで減圧されてから触媒塔５０に導入されてもよい。
【００６３】
（酸素供給工程）
原料ガスは、酸素供給源（図示せず）から触媒塔５０の入口へと第１接続路Ｌ１を介して導入された酸素ガスと混合された後、触媒塔５０に導入されてもよい。すなわち、原料ガス導入工程１は、酸素供給源（図示せず）から触媒塔５０の入口へと酸素ガスを導入すること（酸素供給工程）を更に含んでもよい。酸素供給工程により、原料ガスは後述する触媒反応工程において必要な化学当量の１．１倍以上１．５倍以下の酸素を含有し得る。原料ガスに含まれる酸素量に応じて、酸素供給工程は、バルブＶ１０１を閉とすることにより省略され得る。
【００６４】
《触媒反応工程》
本工程は、原料ガス導入工程１により触媒塔５０に導入された原料ガス中の少なくとも可燃成分を酸素存在下で触媒反応に供する工程である。図１を参照して、本工程は、たとえば原料ガスを昇温手段４０にて所定の温度まで昇温した後触媒塔１１に導入し、第１吸着工程後の原料ガス中に含まれる少なくとも可燃成分を触媒反応させる操作により実施することができる。触媒反応工程において用い得る触媒は、上述の通りパラジウム系触媒や白金系触媒であってもよい。触媒塔５０における触媒反応の温度は、上述通り６０℃以上３５０℃以下の温度であってもよい。
【００６５】
《原料ガス導入工程２》
本工程は、触媒塔５０を経た原料ガスを、第１領域１Ａおよび第２領域１Ｂを含む精製塔１に導入する工程である。触媒塔５０を経た原料ガスは、原料ガス熱交換器３０により降温された後に精製塔１に導入されてもよい。触媒塔５０を経た原料ガスは、冷却手段（図示せず）により降温された後に精製塔１に導入されてもよい。触媒塔５０を経た原料ガスは、冷却されることなく精製塔１に導入されてもよい。
【００６６】
《水分吸着除去工程》
本工程は、第１領域１Ａにおいて原料ガス導入工程２により導入された原料ガス中の少なくとも水分を吸着除去する工程である。原料ガス中の水分は、たとえば第１領域１Ａに含まれる充填物により吸着除去され得る。原料ガスが炭化水素を含む場合、触媒反応工程における触媒反応により水分に加えて二酸化炭素が不純物として原料ガスに含まれ得る。そのため、第１領域１Ａにおいて、原料ガス中の二酸化炭素を更に吸着除去することを含むことが望ましい。１領域１Ａに含まれ得る充填物は、上述の通りゼオライト、活性アルミナ、およびシリカゲルからなる群より選択されるいずれかであってもよい。
【００６７】
水分吸着除去工程は、たとえば０．１ＭａＧ以上０．９ＭＰａＧ以下の吸着圧力で行われてもよい。たとえば原料ガス導入工程２において原料ガスが降温されている場合、水分吸着除去工程は１０℃以上４０℃以下の吸着温度で行われてもよい。原料ガス導入工程２において原料ガスが降温されていない場合、吸着温度は精製塔１に導入される原料ガスの温度に依存した温度で行われてもよい。原料ガス中の水分の分圧を下げる観点からは、水分吸着除去工程は１０℃以上４０℃以下の吸着温度で行われることが望ましい。
【００６８】
《酸素除去工程》
本工程は、第１領域１Ａにて水分が吸着除去された原料ガス中の少なくとも酸素を第２領域１Ｂにおいて除去する工程である。原料ガス中の酸素は、たとえば第２領域１Ｂに含まれるゲッター剤により除去され得る。用い得るゲッター剤は、上述の通りシリカ、アルミナ、ゼオライト、活性炭等の担体に銅等の金属が担持されたものであり得、該金属は銅であり得る。水分が吸着除去された原料ガス中の少なくとも酸素が除去されることにより精製ガスが製造される。
【００６９】
酸素除去工程は、たとえば０．１ＭａＧ以上０．９ＭＰａＧ以下の吸着圧力で行われてもよく、たとえば１０℃以上４０℃以下の吸着温度で行われてもよい。すなわち、水分吸着除去工程と酸素除去工程とは、同一の圧力および温度条件で行い得る。水分吸着除去工程から酸素除去工程に移行する際に圧力調整や温度調整を要しないため、機器点数の削減（すなわち、ＯＰＥＸの削減）が期待される。
【００７０】
《精製ガス導出工程》
本工程は、酸素除去工程により製造された精製ガスを導出する工程である。精製ガスは、要求される使用圧力に応じて昇圧機（図示せず）により所定の圧力まで昇圧されてもよい。精製ガスは、要求される使用圧力に応じて減圧弁（図示せず）により所定の圧力まで減圧されてもよい。精製ガスは、たとえば反応器に導入されてもよい。
【００７１】
＜精製塔の再生方法＞
第１精製塔１および第２精製塔２は、再生ガスにより再生し得る。以下、第２精製塔２の再生方法について説明する。第２精製塔２の再生方法は、脱圧工程、加熱工程、加熱再生工程、冷却工程、パージ工程、復圧工程、および両塔運転工程を含むことが望ましい。以下、各工程について説明する。なお、第２精製塔２の再生で操作するバルブはＶ２１〜Ｖ２５、Ｖ６０、およびＶ６１である。第１精製塔１のバルブは、Ｖ１１およびＶ１５が開（ＯＰＥＮ）とされ、Ｖ１２〜Ｖ１４が閉（ＣＬＯＳＥ）とされている。
【００７２】
《脱圧工程》
本工程は、Ｖ２４を開とし、その他のバルブを閉とすることにより、第２精製塔２内のガスをベントに放出し、第２精製塔２内の圧力を大気圧近くまで脱圧する工程である。第２精製塔２が大気圧近くまで脱圧されることにより、第１領域２Ａに吸着された水分の脱着が容易になることに加え、後述の工程において再生ガスを第２精製塔２に導入する際に、再生ガスの昇圧手段を省略し得る。たとえば、第２精製塔２内の圧力が略大気圧に達するまでを脱圧工程としてもよい。
【００７３】
《加熱工程》
本工程は、脱圧工程の後に行われる工程である。本工程においては、Ｖ２３、Ｖ２４、およびＶ６０を開とし、その他のバルブを閉とし、ヒータ６０により加熱された窒素ガスを第２精製塔２に流通させ、第２精製塔２を加熱する工程である。ヒータ６０出口の窒素ガスの温度は、たとえば１２０℃以上２２０℃以下であってもよい。たとえば、第１領域２Ａおよび第２領域２Ｂの温度が約１２０℃〜２２０℃に達するまでを加熱工程としてもよい。
【００７４】
《加熱再生工程》
本工程は、加熱工程の後に行われる工程である。本工程においては、Ｖ２３、Ｖ２４、Ｖ６０、およびＶ６１を開とし、その他のバルブを閉とし、ヒータ６０により加熱された窒素ガス、および水素ガス（すなわち、再生ガス）を第２精製塔２に流通させ、第１領域２Ａおよび第２領域２Ｂを再生する工程である。本工程中の第１領域２Ａおよび第２領域２Ｂの温度は、約１２０℃〜２２０℃に保たれることが望ましい。ヒータ６０により加熱された窒素ガスにより、第１領域２Ａが再生されると考えられる。Ｖ６１を介して導入された水素ガスにより、第２領域２Ｂが再生されると考えられる。たとえば、再生ガスを第２精製塔２に導入してから０．５時間〜３時間が経過するまでを加熱再生工程としてもよい。加熱再生工程に要する時間は、第２精製塔２の容量や再生ガスの温度により適宜調整され得る。
【００７５】
《冷却工程》
本工程は、加熱再生工程の後に行われる工程である。本工程においては、Ｖ２３、Ｖ２４、およびＶ６０を開とし、その他のバルブを閉とし、常温の窒素ガスを第２精製塔２に流通させ、第２精製塔２を冷却する工程である。たとえば、第１領域２Ａおよび第２領域２Ｂの温度が常温に達するまでを冷却工程としてもよい。
【００７６】
《パージ工程》
本工程は、冷却工程の後に行われる工程である。本工程においては、Ｖ２２およびＶ２４を開とし、その他のバルブを閉とし、精製ガスを第１精製塔１から第２精製塔２に導入し、第２精製塔２を精製ガスにてパージする工程である。たとえば、精製ガスによる第２精製塔２のパージを開始してから５分〜２０分が経過するまでをパージ工程としてもよい。パージ工程に要する時間は、第２精製塔２の容量により適宜調整され得る。
【００７７】
《復圧工程》
本工程は、パージ工程の後に行われる工程である。本工程においては、Ｖ２２を開とし、その他のバルブを閉とし、精製ガスを第１精製塔１から第２精製塔２に導入し、第２精製塔２を昇圧する工程である。たとえば、第２精製塔２の圧力が第２精製塔２の運転圧力に達するまでを復圧工程としてもよい。第２精製塔２の運転圧力は、たとえば０．１ＭａＧ以上０．９ＭＰａＧ以下であってもよい。
【００７８】
《両塔運転工程》
本工程は、復圧工程の後に行われる工程である。本工程においては、Ｖ２１およびＶ２５を開とし、その他のバルブを閉とし、第１精製塔１および第２精製塔２により精製ガスを製造する工程である。本工程は、たとえば５分〜２０分行われてもよい。両塔運転工程を経た後、第２精製塔２を用いた精製ガスの製造が行い得る。第１精製塔１は、前述の脱圧工程、加熱工程、加熱再生工程、冷却工程、パージ工程、復圧工程、および両塔運転工程により再生され得る。
【００７９】
以上の通り、精製ガスの製造装置１００が２つの精製塔を備えることにより、１塔を原料ガス中の不純物の除去（すなわち、精製ガスの製造）に使用し、その間に他の精製塔を再生することができる。すなわち、精製ガスの製造を連続して行うことができる。以下の表１には、各工程における、Ｖ２１〜Ｖ２５、Ｖ６０、およびＶ６１のポジションが示されている。
【００８０】
【表１】
2019172532.tif 000003
【実施例】
【００８１】
以下、実施例を示して本発明をさらに具体的に説明するが、本発明はこれらの例によって限定されるものではない。
【００８２】
＜精製ガスの製造＞
《実施例１》
１．原料ガスの導入工程１
図１に記載の構成を有する装置が準備された。以下に示すヘリウムを主成分とするガスが、反応器より原料ガスとして導入された。
原料ガス流量：３００ＮＬ／ｍｉｎ、
原料ガス中の水素濃度：１８０ｖｏｌ．ｐｐｍ、
原料ガス中のメタン濃度：１２０ｖｏｌ．ｐｐｍ、
原料ガス中の酸素濃度：１０ｖｏｌ．ｐｐｍ、
原料ガスの露点：−２０℃。
原料ガス圧力：０．２ＭＰａＧ。
【００８３】
（酸素供給工程）
酸素供給源から、第１接続路Ｌ１を介して触媒塔５０の入口において、酸素ガスが原料ガスに供給された（酸素供給工程）。酸素供給源から供給された酸素量は、１３０Ｎｃｃ／ｍｉｎである。これにより、原料ガス中の酸素濃度は４３０ｖｏｌ．ｐｐｍとなった。
【００８４】
酸素供給工程を経た原料ガスが、熱交換器３０に導入された。酸素供給工程を経た原料ガスは、熱交換器３０において触媒塔５０を経た原料ガスと間接熱交換させることにより昇温された。熱交換器３０から導出された酸素供給工程を経た原料ガスは、昇温手段４０により更に昇温された。酸素供給工程を経た原料ガスは、その後触媒塔５０に導入された。
【００８５】
２．触媒反応工程
触媒塔５０内で、原料ガス中の可燃成分（すなわち、水素およびメタン）が酸素存在下で触媒反応に供された。触媒塔５０に用いられた触媒は、固形成分としてパラジウムおよび酸化アルミニウムを含んでいる。触媒中のパラジウムと酸化アルミニウムとの質量比は、約０．５：約９９．５であった。触媒反応は、酸素存在下で触媒反応温度３００℃にて行われた。これにより、可燃成分が水分および二酸化炭素に転化された。
【００８６】
３．原料ガス導入工程２
触媒塔５０を経た原料ガスが、原料ガス熱交換器３０に導入された。触媒塔５０を経た原料ガスは、熱交換器３０において酸素供給工程を経た原料ガスと間接熱交換させることにより２０℃まで降温された。２０℃まで降温された原料ガスは、その後第１精製塔１に導入された。
【００８７】
４．精製ガスの製造（水分吸着除去工程、酸素除去工程、および精製ガス導出工程）
触媒塔５０から導出された原料ガスが第１精製塔１に導入され、精製ガスが製造された。精製ガスの製造条件は以下の通りである。
原料ガス流量：３００ＮＬ／ｍｉｎ、
原料ガス中の酸素濃度：１００ｖｏｌ．ｐｐｍ、
原料ガス中の二酸化炭素濃度：１２０ｖｏｌ．ｐｐｍ、
原料ガスの露点：−１５℃、
原料ガス中の水素濃度：１ｖｏｌ．ｐｐｍ以下、
原料ガス中のメタン濃度：１ｖｏｌ．ｐｐｍ以下、
精製塔吸着圧力（原料ガス圧力）：０．２ＭＰａＧ、
精製塔吸着温度（原料ガス温度）：２０℃、
ゲッター剤：［酸化亜鉛：酸化アルミニウム：酸化銅＝約４５：約１２：約４３（質量比）］、
ゼオライト：商品名「Ｆ−９」（東ソー（株）より入手）。
【００８８】
触媒塔５０を経た原料ガスが、第１精製塔１に導入された。第１精製塔１内の第１領域１Ａにおいて、原料ガス中の水分および二酸化炭素がゼオライトにより吸着除去された（水分吸着除去工程）。第１領域１Ａを経た原料ガスに含まれる酸素が、第２領域１Ｂにおいてゲッター剤により除去された（酸素除去工程）。これにより、精製ガスが製造された。精製ガスは、上記反応器に導入された（精製ガス導出工程）。
【００８９】
《実施例２》
酸素供給源から供給される酸素量を、１００Ｎｃｃ／ｍｉｎとし、原料ガス中の酸素濃度を３６０ｖｏｌ．ｐｐｍとしたことを除いては、実施例１と同様に精製ガスが製造された。
【００９０】
《実施例３》
酸素供給源から供給される酸素量を、１５０Ｎｃｃ／ｍｉｎとし、原料ガス中の酸素濃度を４９５ｖｏｌ．ｐｐｍとしたことを除いては、実施例１と同様に精製ガスが製造された。
【００９１】
《実施例４〜実施例９》
下記表２に示されるように、原料ガスの主成分が変更されたこと、原料ガス中の可燃成分が変更されたこと、触媒反応温度が変更されたこと、および第１領域１Ａにおいてゼオライトに代えて活性アルミナまたはシリカゲルが用いられたことを除いては、実施例１と同様に精製ガスが製造された。
【００９２】
《比較例１》
酸素供給源から原料ガスに酸素ガスが供給されなかったことを除いては、実施例１と同様に精製ガスの製造を試みた。
【００９３】
《比較例２》
酸素供給源から供給される酸素量を、９０Ｎｃｃ／ｍｉｎとし、原料ガス中の酸素濃度を３００ｖｏｌ．ｐｐｍとしたことを除いては、実施例１と同様に精製ガスの製造を試みた。
【００９４】
《比較例３》
酸素供給源から供給される酸素量を、２００Ｎｃｃ／ｍｉｎとし、原料ガス中の酸素濃度を６７０ｖｏｌ．ｐｐｍとしたことを除いては、実施例１と同様に精製ガスの製造を試みた。
【００９５】
＜評価＞
各実施例および各比較例において第１精製塔１から導出されたガスに含まれる可燃成分、酸素、水分、および二酸化炭素量が、ガスクロマトグラフィー（商品名：「ＧＣ２０１４ＡＴＦ」（（株）島津製作所より入手）により測定された。
【００９６】
（評価基準）
下記表２における評価基準は以下の通りである。
Ａ：精製ガス中の水素濃度、炭化水素濃度、酸素濃度、および二酸化炭素濃度がそれぞれ２ｖｏｌ．ｐｐｍ以下であり、かつ、露点が−７６℃以下である場合、
Ｂ：精製ガス中の水素濃度、炭化水素濃度、酸素濃度、および二酸化炭素濃度のいずれかが２ｖｏｌ．ｐｐｍよりも高いか、または、露点が−７６℃よりも高い場合。
【００９７】
【表２】
2019172532.tif 000004
【００９８】
＜結果＞
上記表２に示されるように、実施例は精製ガス中の可燃成分、酸素、水分、および二酸化炭素量が抑制されていた。そのため、精製ガス中の可燃成分を除去する設備を新たに設けることを要しない。本発明においては、１つの精製塔内に第１領域と第２領域とが含まれている。そのため、少なくとも２塔の精製塔があれば、連続運転を行い得る。また、１領域と第２領域との間に冷却手段を設けることを要しなかった。すなわち、原料ガスが不純物として少なくとも可燃成分を含む際に、コストが削減された精製ガスの製造装置および精製ガスの製造方法が提供されることが示された。
【００９９】
本実施例においては、精製ガスを得るためには触媒塔に導入される原料ガスの酸素濃度が３６０ｖｏｌ．ｐｐｍ以上４９５ｖｏｌ．ｐｐｍ以下であることが好ましいことが理解できる。なお、当該値は原料ガス中の可燃成分の量や、精製塔に含まれるゲッター剤の量等に応じて適宜に変更し得ることは言うまでもない。
【０１００】
比較例１および比較例２は、第１精製塔１から導出されたガス中の炭化水素濃度が２ｖｏｌ．ｐｐｍよりも高く、精製ガスを得られなかった。触媒塔に導入された原料ガス中の酸素濃度が３６０ｖｏｌ．ｐｐｍ未満であったため、触媒塔における触媒反応が十分に進行しなかったと考えられる。
【０１０１】
比較例３は、第１精製塔１から導出されたガス中の酸素濃度が２ｖｏｌ．ｐｐｍよりも高く、精製ガスを得られなかった。触媒塔に導入された原料ガス中の酸素濃度が４９５ｖｏｌ．ｐｐｍを超えていたため、精製塔に導入された原料ガス流の酸素濃度が過剰であったものと考えられる。
【０１０２】
今回開示された実施例および実施形態はすべての点で例示であって制限的なものではない。特許請求の範囲の記載によって確定される技術的範囲は、特許請求の範囲と均等の意味および範囲内でのすべての変更を含む。
【符号の説明】
【０１０３】
１  第１精製塔、２  第２精製塔、３０  原料ガス熱交換器、４０  昇温手段、５０  触媒塔、６０  ヒータ、１Ａ，２Ａ  第１領域、１Ｂ，２Ｂ  第２領域、Ｖ１１，Ｖ１２，Ｖ１３，Ｖ１４，Ｖ１５，Ｖ２１，Ｖ２２，Ｖ２３，Ｖ２４，Ｖ２５，Ｖ６０，Ｖ６１，Ｖ１０１  バルブ  Ｌ１  第１接続路、Ｌ２  再生ガス供給路。
【図１】
2019172532.tif 000005
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
原料ガス中の少なくとも可燃成分を酸素存在下で触媒反応に供するための触媒塔と、
前記触媒塔を経た前記原料ガス中の少なくとも水分および酸素を除去し、精製ガスを得るための精製塔を備え、
前記精製塔は、第１領域および第２領域を含み、
前記第１領域は、前記原料ガス中の少なくとも水分を吸着除去するための領域であり、
前記第２領域は、前記第１領域を経た前記原料ガス中の少なくとも酸素を除去し、精製ガスを得るための領域であり、
前記第２領域は、ゲッター剤を含み、
前記ゲッター剤は、銅を含む、
精製ガスの製造装置。
【請求項２】
前記第１領域は、前記原料ガス中の二酸化炭素を更に吸着除去するための領域である、請求項１に記載の製造装置。
【請求項３】
前記触媒塔は、６０℃以上３５０℃以下の温度で触媒反応を行うための触媒塔である、請求項１または請求項２に記載の製造装置。
【請求項４】
前記触媒塔は、パラジウム系触媒を含む、請求項１〜請求項３のいずれか１項に記載の製造装置。
【請求項５】
酸素供給源と、
前記酸素供給源と前記触媒塔の入口とを接続するための接続路であって、前記酸素供給源から前記触媒塔の入口へ酸素ガスを導入するための第１接続路と、を更に備える、
請求項１〜請求項４のいずれか１項に記載の製造装置。
【請求項６】
前記第１領域は、ゼオライト、活性アルミナ、およびシリカゲルからなる群より選択されるいずれかを含む、
請求項１〜請求項５のいずれか１項に記載の製造装置。
【請求項７】
前記原料ガスは、少なくとも窒素または希ガスのいずれかを含む、請求項１〜請求項６のいずれか１項に記載の製造装置。
【請求項８】
前記可燃成分は、少なくとも水素または炭化水素のいずれかを含む、請求項１〜請求項７のいずれか１項に記載の製造装置。
【請求項９】
反応器と、
前記反応器と前記触媒塔とを接続するための接続路であって、前記反応器から前記触媒塔へ前記原料ガスを導入するための第２接続路と、
前記反応器と前記精製塔とを接続するための接続路であって、前記精製塔から導出される前記精製ガスを前記反応器へ戻すための第３接続路と、を更に備える、
請求項１〜請求項８のいずれか１項に記載の製造装置。
【請求項１０】
原料ガスを、触媒塔に導入すること、
前記触媒塔内で、前記原料ガス中の少なくとも可燃成分を酸素存在下で触媒反応に供すること、
前記触媒塔を経た前記原料ガスを、第１領域および第２領域を含む精製塔に導入すること、
前記第１領域において、前記原料ガス中の少なくとも水分を吸着除去すること、
前記第２領域において、前記第１領域にて水分が吸着除去された前記原料ガス中の少なくとも酸素を除去すること、
前記第２領域にて酸素が除去された前記原料ガスを、精製ガスとして導出すること、を含み、
前記第２領域は、ゲッター剤を含み、
前記ゲッター剤は、銅を含む、
精製ガスの製造方法。
【請求項１１】
前記第１領域において、前記原料ガス中の二酸化炭素を吸着除去することを含む、請求項１０に記載の製造方法。
【請求項１２】
前記触媒反応は、６０℃以上３５０℃以下の温度で行われる、請求項１０または請求項１１に記載の製造方法。
【請求項１３】
前記触媒塔は、パラジウム系触媒を含む、請求項１０〜請求項１２のいずれか１項に記載の製造方法。
【請求項１４】
酸素供給源から前記触媒塔の入口へと酸素ガスを導入することを更に含む、
請求項１０〜請求項１３のいずれか１項に記載の製造方法。
【請求項１５】
前記第１領域は、ゼオライト、活性アルミナ、およびシリカゲルからなる群より選択されるいずれかを含み、
請求項１０〜請求項１４のいずれか１項に記載の製造方法。
【請求項１６】
前記原料ガスは、少なくとも窒素または希ガスのいずれかを含む、請求項１０〜請求項１５のいずれか１項に記載の製造方法。
【請求項１７】
前記可燃成分は、少なくとも水素または炭化水素のいずれかを含む、請求項１０〜請求項１６のいずれか１項に記載の製造方法。
【請求項１８】
反応器から導出されたガスを、前記原料ガスとして前記触媒塔に導入すること、および、
前記精製塔から導出された前記精製ガスを、前記反応器に導入すること、
を更に含む、請求項１０〜請求項１７のいずれか１項に記載の製造方法。
【手続補正２】
【補正対象書類名】明細書
【補正対象項目名】００６１
【補正方法】変更
【補正の内容】
【００６１】
《原料ガス導入工程１》
本工程は、原料ガスを触媒塔５０に導入する工程である。原料ガスは、少なくとも可燃成分を含む限り、特に限定されない。原料ガスは、主成分として、たとえば窒素および希ガス等を含んでもよい。すなわち原料ガスは、少なくとも窒素または希ガスのいずれかを含んでもよい。可燃成分は、水素や炭化水素を含んでもよい。すなわち可燃成分は、少なくとも水素または炭化水素のいずれかを含んでもよい。